(57)【特許請求の範囲】
【請求項１】
相対する一対のリング部を有し、前記リング部の先端部同士が接触しないファイリング構造であって、
第１状態と第２状態との間において前記リング部の先端部同士の離間距離を変動し得る開閉部を備え、
前記第１状態では、前記開閉部の開動作により前記リング部の先端部同士の離間距離が広がり、当該リング部の先端部同士の間に大間隙部を形成し、
前記第２状態では、前記開閉部の閉動作により前記リング部の先端部同士の離間距離が狭まり、当該リング部の先端部同士の間に小間隙部を形成することを特徴とするファイリング構造。
【請求項２】
相対する一対のリング部と、
前記リング部の先端部同士の離間距離を変動し得る開閉部と、
を有するファイリング構造であって、
前記開閉部の開動作により、前記リング部の先端部同士の離間距離が広がる開状態になり、
前記開閉部の閉動作により、前記リング部の先端部同士の離間距離が狭まる閉状態になり、
前記閉状態において、前記リング部の先端部同士の間に間隙部を有し、
前記リング部は、所定の方向に複数整列して配置され、
前記間隙部が前記リング部の整列方向にわたって次第に狭くなるように形成されていることを特徴とするファイリング構造。
【請求項３】
請求項１又は２に記載のファイリング構造を備えたことを特徴するバインダ。
【請求項４】
請求項１又は２に記載のファイリング構造を備えたことを特徴する手帳。
【発明の詳細な説明】
【技術分野】
【０００１】
本発明は、紙・ビニール素材等の被保持部材を保持可能なファイリング構造、このファイリング構造を備えたバインダ及び手帳に関する。
【背景技術】
【０００２】
従来のバインダは、表紙部材と、表紙部材の略中央の位置に設けられたファイリング機構と、を有し、ファイリング機構の開閉動作によって用紙などがファイリング機構で保持又は保持が解除される構成のものが知られている。
【０００３】
この従来のバインダでは、例えば、用紙の端部にその厚み方向を貫通した穴が所定の方向に並んで複数形成されており、同じくファイリング機構を構成するリングがその穴に挿通するようにして用紙が保持される。また、紙の穴からリングを抜き出すことにより紙の保持が解除され、紙を取り出すことができる。
【０００４】
【特許文献１】特開２０１５−１８６８９９号公報
【発明の概要】
【発明が解決しようとする課題】
【０００５】
ところで、従来のバインダでは、用紙をファイリング機構で保持するときに、ファイリング機構の開閉動作が必ず必要になっていた。詳細には、ファイリング機構を開動作させることにより、相対するリングの先端部同士の離間距離を広げてリングに紙の穴を挿通させ、その後、ファイリング機構を閉動作させることにより、相対するリングの先端部同士を接触又は係合させてリングが紙の穴から抜けないようにしていた。
【０００６】
また、ファイリング機構で保持された紙を取り出す際には、ファイリング機構の開閉動作を行い、相対するリングの先端部同士の離間距離を広げ、紙の穴からリングを離脱させることにより、紙をファイリング機構から取り外していた。
【０００７】
しかしながら、紙の抜き差しの際に、常に、ファイリング機構の開閉動作が必要になれば、手間が発生する。特に、ファイリング機構で予め多くの枚数の紙が保持されている状態においてファイリング機構の開閉動作を行うと、リングの先端部同士の離間距離を広げたときの衝撃で、取り出すことを予定していない紙までもリングから外れてしまう問題も併発していた。
【０００８】
そこで、本発明は、上記問題点に鑑み、紙等の被保持部材の保持又はその解除を容易かつ確実に実現できるファイリング構造、これを備えたバインダ及び手帳を提供することを目的とする。
【課題を解決するための手段】
【０００９】
第１の発明は、相対する一対のリング部を有し、前記リング部の先端部同士が接触しないファイリング構造であって、第１状態と第２状態との間において前記リング部の先端部同士の離間距離を変動し得る開閉部を備え、前記第１状態では、前記開閉部の開動作により前記リング部の先端部同士の離間距離が広がり、当該リング部の先端部同士の間に大間隙部を形成し、前記第２状態では、前記開閉部の閉動作により前記リング部の先端部同士の離間距離が狭まり、当該リング部の先端部同士の間に小間隙部を形成することを特徴とする。
【００１０】
第２の発明は、相対する一対のリング部と、前記リング部の先端部同士の離間距離を変動し得る開閉部と、を有するファイリング構造であって、前記開閉部の開動作により、前記リング部の先端部同士の離間距離が広がる開状態になり、前記開閉部の閉動作により、前記リング部の先端部同士の離間距離が狭まる閉状態になり、前記閉状態において、前記リング部の先端部同士の間に間隙部を有し、前記リング部は、所定の方向に複数整列して配置され、前記間隙部が前記リング部の整列方向にわたって次第に狭くなるように形成されていることを特徴とする。
【００１４】
第３の発明は、第１の発明又は第２の発明のファイリング構造を備えたバインダである。
【００１５】
第４の発明は、第１の発明又は第２の発明のファイリング構造を備えた手帳である。
【発明の効果】
【００１６】
本発明によれば、紙等の被保持部材の保持又は保持の解除を容易かつ確実に実現できる。
【図面の簡単な説明】
【００１７】
【図１】本発明の第１実施形態に係るファイリング構造を備えたバインダの図である。
【図２】本発明の第１実施形態に係るファイリング構造を備えたバインダの小間隙部に被保持部材を挿入するときの状態を示した図である。
【図３】（ａ）は本発明の第１実施形態に係るファイリング構造の閉状態を示した部分平面図であり、（ｂ）はファイリング構造の開状態を示した部分平面図である。
【図４】（ａ）は本発明の第１実施形態に係るファイリング構造の閉状態を整列方向からみた部分側面図であり、（ｂ）はファイリング構造の開状態を整列方向からみた部分側面図である。
【図５】（ａ）は本発明の第１実施形態に係るファイリング構造の閉状態において相対する一対のリング部の先端部間の間隙部に整列方向から被保持部材を挿入するときの状態を平面視で捉えた説明図であり、（ｂ）は相対する一対のリング部の先端部間の間隙部に整列方向に対して直交する方向に被保持部材を抜き出すときの状態を側面視で捉えた説明図である。
【図６】本発明の第１実施形態に係るファイリング構造のリング部に設けられた誘導部の構成の第１バリエーションの説明図である。
【図７】本発明の第１実施形態に係るファイリング構造のリング部に設けられた誘導部の構成の第２バリエーションの説明図である。
【図８】本発明の第１実施形態に係るファイリング構造のリング部に設けられた誘導部の構成の第３バリエーションの説明図である。
【図９】本発明の第１実施形態に係るファイリング構造のリング部に設けられた誘導部の構成の第４バリエーションの説明図である。
【図１０】本発明の第１実施形態に係るファイリング構造のリング部に設けられた誘導部の構成の第５バリエーションの説明図である。
【図１１】本発明の第１実施形態に係るファイリング構造のリング部に設けられた誘導部の構成の第６バリエーションの説明図である。
【図１２】本発明の第１実施形態に係るファイリング構造のリング部の先端部間に形成された小間隙部の構成の変形例の説明図である。
【発明を実施するための形態】
【００１８】
次に、本発明の第１実施形態に係るファイリング構造、これを備えたバインダ及び手帳について、図面を参照して説明する。
【００１９】
以下、本発明のファイリング構造がバインダに適用された構成を一例として図示して説明するが、本発明のファイリング構造はバインダに限定されず、システム手帳等の手帳類、その他の文房具、並びに被保持部材を保持する保持装置に対しても適用することができる。なお、本発明のファイリング構造がバインダに適用された構成以外の構成についての図示は省略する。
【００２０】
図１及び図２に示すように、バインダ１０は、表紙部１２と、裏表紙部１４と、ファイリング機構１６と、を有している。
【００２１】
表紙部１２と裏表紙部１４とは、被保持部材１８の表面と裏面に対向するように配置されるものであり、例えば一体的に形成されている。また、両者が別体として形成されていてもよく、その場合には、例えば接着又は係合等の既存の組付手段で両者が組み付けられる。
【００２２】
なお、表紙部１２と裏表紙部１４は、いずれが表であっても、裏であってもよい。
【００２３】
被保持部材１８には、用紙などの紙媒体、ビニール素材等の袋体などが含まれる。被保持部材１８の素材、形状、用途が特に限定されるものではない。
【００２４】
なお、被保持部材１８には、例えば、整列方向に沿って複数の穴２０が形成されているが、これにも限定されるものではない。
【００２５】
ファイリング機構１６は、例えば、相対する一対のリング部２２、２４と、リング部２２、２４の先端部２２Ａ、２４Ａ同士の離間距離を変動し得る開閉部２６と、を含む。
【００２６】
リング部２２、２４は、複数のものが所定の方向（適宜、整列方向という。図２中矢印Ｘ方向参照）に沿って整列配置された構成でもよいし、単数のものが任意の箇所に配置されていてもよい。
【００２７】
リング部２２、２４は、一対のものが相対するように配置されている。詳細には、リング部２２、２４の整列方向に対して直交する対向方向（図２中矢印Ｙ方向参照）に配置されている。
【００２８】
相対するリング部２２、２４の先端部２２Ａ、２４Ａの離間距離が開閉部２６により変動される。すなわち、開閉部２６の開動作により、リング部２２、２４の先端部２２Ａ、２４Ａの離間距離が広がり、開状態となる。他方、開閉部２６の閉動作により、リング部２２、２４の先端部２２Ａ、２４Ａの離間距離が狭くなり、閉状態となる。
【００２９】
ここで、リング部２２、２４の先端部２２Ａ、２４Ａ同士の離間距離が変動する構成は、対向方向に配置されたリング部２２、２４の一方又は両方で、かつ整列方向に配置されたリング部全体が対向方向に沿って移動して実現される構成でもよい。あるいは、図示しないが、対向方向に配置されたリング部２２、２４の一方でかつ整列方向に配置されたリング部２２、２４の一方側端部付近を回転可能な構成にして、実現される構成でもよい。
【００３０】
なお、リング部２２、２４の先端部２２Ａ、２４Ａ同士の離間距離が変動する構成は、これらの構成に限定されず、従来から用いられている構造のいずれかを利用することができる。
【００３１】
開閉部２６は、既存の構造のものが利用される。開閉部２６は、例えば、所定のロック部材の操作により開閉動作が可能な構成でもよいが、この構成に限定されるものではない。
【００３２】
ここで、図３（ａ）及び図４（ａ）に示すように、閉状態では、相対する一対のリング部２２、２４の先端部２２Ａ、２４Ａ同士の離間距離が開状態よりも狭くなる。しかしながら、両方の先端部２２Ａ、２４Ａ同士が接触することがなく、非接触の状態になる。換言すれば、両方の先端部２２Ａ、２４Ａ同士の間には、僅かな間隙部（隙間部）２８が形成されている。このため、閉状態では、相対するリング部２２、２４の先端部２２Ａ、２４Ａ同士が僅かに近接した位置にくる。なお、閉状態時に形成される僅かな間隙部２８を、説明の便宜上、適宜、小間隙部２８と称する。
【００３３】
図３（ｂ）及び図４（ｂ）に示すように、開状態では、相対する一対のリング部２２、２４の先端部２２Ａ、２４Ａ同士の離間距離が閉状態よりも広がる。これにより、両方の先端部２２Ａ、２４Ａ同士の間には、大きな間隙部（隙間部）３０が形成される。なお、開状態時に形成される大きな間隙部３０を、説明の便宜上、適宜、大間隙部３０と称する。
【００３４】
被保持部材１８をリング部２２、２４で保持する場合には、図３（ｂ）及び図４（ｂ）に示す開状態において、被保持部材１８に形成された各々の穴２０を一方側の各々のリング部２２、２４の先端部２２Ａ、２４Ａに挿通させる。これにより、被保持部材１８がリング部２２、２４に係合される。そして、ファイリング機構１６を閉状態となるように閉動作する。
【００３５】
図３（ａ）及び図４（ａ）に示す閉状態では、リング部２２、２４の先端部２２Ａ、２４Ａ同士の離間距離が開状態よりも狭くなる。ここで、リング部２２、２４の先端部２２Ａ、２４Ａ同士が非接触の状態になって両者の間に小間隙部２８が形成されているが、リング部２２、２４の先端部２２Ａ、２４Ａ同士の離間距離が極めて短いため、リング部２２、２４に挿通されていた被保持部材１８は、小間隙部２８から外れ難い。これにより、被保持部材１８の保持状態が維持される。
【００３６】
特に、整列方向に沿って複数のリング部２２、２４が配置されている構成では、被保持部材１８の全ての穴２０が全てのリング部２２、２４の先端部２２Ａ、２４Ａから外れることが困難になるため、被保持部材１８の係合状態が依然として維持される。
【００３７】
［誘導部の構成］
ここで、リング部２２、２４の先端部２２Ａ、２４Ａ又はその近傍に形成又は設けられる誘導部について説明する。
【００３８】
図５に示すように、リング部２２、２４の先端部２２Ａ、２４Ａ又はその近傍には、閉状態において、被保持部材１８を小間隙部２８側へ導く誘導部３２が形成又は設けられている。詳細には、被保持部材１８が誘導部３２に接触して小間隙部２８へ誘導される。換言すれば、誘導部３２は、リング部２２、２４の先端部２２Ａ、２４Ａの肉厚方向の中心側へ誘導する。
【００３９】
なお、誘導部３２は、リング部２２、２４と一体的に形成されていてもよく、別体として設けられていてもよい。誘導部３２は、「受け部」と称することができる。
【００４０】
リング部２２、２４の先端部２２Ａ、２４Ａ又はその近傍に誘導部３２を形成したことにより、被保持部材１８を小間隙部２８側へ誘導することができる。詳細には、図５（ａ）に示すように、リング部２２、２４の閉状態において、平面視において被保持部材１８が整列方向（図５（ａ）中矢印Ｘ方向）から進入した場合には、被保持部材１８の端部が誘導部３２に接触するとともに、被保持部材１８が誘導部３２上をその進入方向に沿って滑りながら小間隙部２８側へ移動する。
【００４１】
これにより、被保持部材１８が小間隙部２８側へ誘導され、小間隙部２８を整列方向に沿って通過することが可能になる。このようにして、リング部２２、２４の先端部２２Ａ、２４Ａの近傍に、被保持部材１８の全ての穴２０を位置させ、リング部２２、２４の先端部２２Ａ、２４Ａを穴２０に挿通させることにより、被保持部材１８とリング部２２、２４とを係合させて、被保持部材１８を保持することができる。
【００４２】
また、図５（ｂ）に示すように、リング部２２、２４の閉状態において、側面視においてリング部２２、２４に係合されている被保持部材１８を整列方向に対して直交する方向（高さ方向又は鉛直方向）に引き抜く場合には、被保持部材１８の穴２０の内縁部が誘導部３２に接触するとともに、被保持部材１８が誘導部３２上をその進入方向に沿って滑りながら小間隙部２８側へ移動する。
【００４３】
これにより、被保持部材１８が小間隙部２８側へ誘導され、小間隙部２８に整列方向に対して直交する方向（図５（ａ）中矢印Ｚ方向、高さ方向又は鉛直方向ともいう。）に沿って通過することが可能になる。このようにして、被保持部材１８とリング部２２、２４との係合を解消し、被保持部材１８を抜き出すことができる。
【００４４】
特に、図５（ａ）、（ｂ）では、誘導部３２が傾斜部３４で形成されているため、被保持部材１８が傾斜部３４の傾斜面に当接して進入方向に沿って滑りながら小間隙部２８側へ導かれる。これにより、被保持部材１８を容易かつ確実に小間隙部２８側へ導くことが可能になる。
【００４５】
［誘導部の構成のバリエーション］
次に、誘導部３２の構成のバリエーションについて説明する。なお、以下に説明する誘導部３２の構成のバリエーションは、一例であり、誘導部３２の構成として、これらに限定されるものではない。
【００４６】
（誘導部の第１バリエーション）
図６に示すように、誘導部３２の第１バリエーションとして、誘導部３２が存在しない構成である。リング部２２、２４の先端部又はその近傍に誘導部３２が形成又は設けられていない構成であるが、誘導部３２が存在しない構成としてバリエーションに含めるものとする。
【００４７】
図６（ａ）は、閉状態において平面視から見たリング部の部分的な図である。図６（ｂ）は、その側面方向から見た閉状態のリング部の部分的な図である。図６（ｃ）は、小間隙部で切断した方向から一方側のリング部を見た部分的な図である。図６（ｄ）は、閉状態におけるリング部の斜視図である。
【００４８】
図６に示すように、閉状態において、相対する一対のリング部２２、２４の先端部２２Ａ、２４Ａ同士が非接触の状態で、小間隙部２８が形成されている。この構成では、誘導部３２が形成されていないが、閉状態で、リング部２２、２４の先端部２２Ａ、２４Ａ同士の間に小間隙部２８が形成されているため、被保持部材１８が小間隙部２８を通過してリング部２２、２４に係合又はリング部２２、２４の係合から解除される。
【００４９】
（誘導部の第２バリエーション）
図７に示すように、誘導部３２の第２バリエーションとして、誘導部３２として円錐部３６が形成されている構成である。
【００５０】
図７（ａ）は、閉状態において平面視から見たリング部の部分的な図である。図７（ｂ）は、その側面方向から見た閉状態のリング部の部分的な図である。図７（ｃ）は、小間隙部で切断した方向から一方側のリング部を見た部分的な図である。図７（ｄ）は、閉状態におけるリング部の斜視図である。
【００５１】
図７に示すように、閉状態において、相対する一対のリング部２２、２４の先端部２２Ａ、２４Ａ同士が非接触の状態で、小間隙部２８が形成されている。また同時に、リング部２２、２４の先端部２２Ａ、２４Ａに誘導部３２としての円錐部３６が形成されている。
【００５２】
この構成では、閉状態で、小間隙部２８に加え、誘導部３２としての円錐部３６が形成されているため、被保持部材１８が円錐部３６の母線部分に接触しながら、小間隙部２８側へ誘導される。そして、小間隙部２８を通過してリング部２２、２４に係合又はリング部２２、２４の係合から解除される。
【００５３】
特に、円錐部３６とすることで、被保持部材１６の進入方向にかかわらず、被保持部材１６を小間隙部２８側へ誘導することが可能になる。
【００５４】
（誘導部の第３バリエーション）
図８に示すように、誘導部３２の第３バリエーションとして、誘導部３２として傾斜部３４がリング部２２、２４の先端部２２Ａ、２４Ａの配列方向の一方側に形成されている構成である。なお、傾斜部３４は、傾斜面でもある。
【００５５】
図８（ａ）は、閉状態において平面視から見たリング部の部分的な図である。図８（ｂ）は、その側面方向から見た閉状態のリング部の部分的な図である。図８（ｃ）は、小間隙部で切断した方向から一方側のリング部を見た部分的な図である。図８（ｄ）は、閉状態におけるリング部の斜視図である。
【００５６】
図８に示すように、閉状態において、相対する一対のリング部２２、２４の先端部２２Ａ、２４Ａ同士が非接触の状態で、小間隙部２８が形成されている。また同時に、リング部２２、２４の先端部２２Ａ、２４Ａの整列方向の一方側に誘導部３２としての傾斜部３４が形成されている。
【００５７】
この構成では、閉状態で、小間隙部２８に加え、誘導部３２としての傾斜部３４が形成されているため、整列方向の一方側から進入した被保持部材１８が傾斜部３４に接触しながら、小間隙部２８側へ誘導される。そして、小間隙部２８を通過してリング部２２、２４に係合される。
【００５８】
（誘導部の第４バリエーション）
図９に示すように、誘導部３２の第４バリエーションとして、誘導部３２として傾斜部３４がリング部２２、２４の先端部２２Ａ、２４Ａの整列方向の一方側及び平面方向の一方側に形成されている構成である。なお、傾斜部３４は、傾斜面でもある。
【００５９】
図９（ａ）は、閉状態において平面視から見たリング部の部分的な図である。図９（ｂ）は、その側面方向から見た閉状態のリング部の部分的な図である。図９（ｃ）は、小間隙部で切断した方向から一方側のリング部を見た部分的な図である。図９（ｄ）は、閉状態におけるリング部の斜視図である。
【００６０】
図９に示すように、閉状態において、相対する一対のリング部２２、２４の先端部２２Ａ、２４Ａ同士が非接触の状態で、小間隙部２８が形成されている。また同時に、リング部２２、２４の先端部２２Ａ、２４Ａの配列方向の一方側及び平面方向の一方側に誘導部３２としての傾斜部３４が形成されている。
【００６１】
この構成では、閉状態で、小間隙部２８に加え、誘導部３２としての傾斜部３４が形成されているため、配列方向の一方側又は平面方向の一方側から進入した被保持部材１８が傾斜部３４に接触しながら、小間隙部２８側へ誘導される。そして、小間隙部２８を通過してリング部２２、２４に係合される。
【００６２】
（誘導部の第５バリエーション）
図１０に示すように、誘導部３２の第５バリエーションとして、誘導部３２として傾斜部３４がリング部２２、２４の先端部２２Ａ、２４Ａの配列方向の一方側、平面方向の一方側及び平面方向の他方側に形成されている構成である。なお、傾斜部３４は、傾斜面でもある。
【００６３】
図１０（ａ）は、閉状態において平面視から見たリング部の部分的な図である。図１０（ｂ）は、その側面方向から見た閉状態のリング部の部分的な図である。図１０（ｃ）は、小間隙部で切断した方向から一方側のリング部を見た部分的な図である。図１０（ｄ）は、閉状態におけるリング部の斜視図である。
【００６４】
図１０に示すように、閉状態において、相対する一対のリング部２２、２４の先端部２２Ａ、２４Ａ同士が非接触の状態で、小間隙部２８が形成されている。また同時に、リング部２２、２４の先端部２２Ａ、２４Ａの配列方向の一方側及び平面方向の一方側に誘導部３２としての傾斜部３４が形成されている。
【００６５】
この構成では、閉状態で、小間隙部２８に加え、誘導部３２としての傾斜部３４が形成されているため、配列方向の一方側又は平面方向の一方側から進入した被保持部材１８が傾斜部３４に接触しながら、小間隙部２８側へ誘導される。そして、小間隙部２８を通過してリング部２２、２４に係合される。
【００６６】
加えて、リング部２２、２４の先端部２２Ａ、２４Ａの平面方向の他方側に誘導部３２としての傾斜部３４が形成されているため、一度、リング部２２、２４で保持された被保持部材１８がリング部２２、２４から抜け出ることを抑制できる。この結果、リング部２２、２４により被保持部材１８の保持性能が向上する。
【００６７】
（誘導部の第６バリエーション）
図１１に示すように、誘導部３２の第６バリエーションとして、誘導部３２として湾曲部３６がリング部２２、２４の先端部２２Ａ、２４Ａの配列方向の一方側に形成されている構成である。
【００６８】
特に、相対する一対のリング部２２、２４の先端部２２Ａ、２４Ａ同士である特定の形状が完成するように構成されている。具体的には、一方側のリング部２２、２４の先端部２２Ａ、２４Ａには湾曲部３８としてのハートの左側半分と、他方側のリング部２２、２４の先端部２２Ａ、２４Ａにはハートの右側半分と、が設けられており、閉状態において平面視にて一つのハートが完成する。これにより、誘導部３２のデザイン性が向上する。
【００６９】
図１１（ａ）は、閉状態において平面視から見たリング部の部分的な図である。図１１（ｂ）は、その側面方向から見た閉状態のリング部の部分的な図である。図１１（ｃ）は、小間隙部で切断した方向から一方側のリング部を見た部分的な図である。図１１（ｄ）は、閉状態におけるリング部の斜視図である。
【００７０】
図１１に示すように、閉状態において、相対する一対のリング部２２、２４の先端部２２Ａ、２４Ａ同士が非接触の状態で、小間隙部２８が形成されている。また同時に、リング部２２、２４の先端部２２Ａ、２４Ａに湾曲部３８が形成されている。
【００７１】
この構成では、閉状態で、小間隙部２８に加え、誘導部３２としての湾曲部３８が形成されているため、配列方向の一方側から進入した被保持部材１８が湾曲部３８に接触しながら、小間隙部２８側へ誘導される。そして、小間隙部２８を通過してリング部２２、２４に係合される。
【００７２】
湾曲部３８は、左右のリング部２２、２４が閉状態のときに完成するハートとなるように構成されているため、デザイン性及び斬新性が向上する。これにより、ユーザの遊び心を刺激し、お洒落な文房具としての美的外観が向上する。
【００７３】
このように、湾曲部３８の形状にデザイン性を持たせ、また色を施すことにより、湾曲部３８の商品力を向上させることも可能である。
【００７４】
なお、誘導部３２の構成のバリエーションについて例示してきたが、これに限定されるものではない。例えば、相対する一対のリング部２２、２４のいずれか一方側のみに誘導部３２が形成され又は設けられている構成でもよく、さらには相対する一対のリング部２２、２４の一方側と他方側にそれぞれ形状、大きさ及び構成などが異なる誘導部３２がそれぞれ形成され又は設けられてもよい。これらの誘導部３２の構成の組み合わせは、特に限定されるものではない。
【００７５】
［小間隙部の構成の変形例］
次に、小間隙部２８の構成の変形例について説明する。なお、以下に説明する小間隙部２８の構成の変形例は、一例であり、小間隙部２８の構成として、これらに限定されるものではない。
【００７６】
図１２に示すように、リング部２２、２４は、整列方向に複数して配置されている。閉状態において、相対する一対のリング部２２、２４の先端部２２Ａ、２４Ａ同士の間に形成される小間隙部２８が整列方向にわたって次第に狭くなるように、設定されている。
【００７７】
具体的には、最も外側（端部）にあるリング部２２Ｘ１、２４Ｘ１の先端部同士の間に形成された小間隙部２８Ｘ１が最も広く、換言すれば、相対する一体のリング部２２Ｘ１、２４Ｘ１の先端部同士の離間距離が最も広くなる。
【００７８】
２番目のリング部２２Ｘ２、２４Ｘ２の先端部同士の間に形成された小間隙部２８Ｘ２が２番目に広く、換言すれば、相対する一体のリング部２２Ｘ２、２４Ｘ２の先端部同士の離間距離が２番目に広くなる。
【００７９】
３番目のリング部２２Ｘ３、２４Ｘ３の先端部同士の間に形成された小間隙部２８Ｘ３が３番目に広く、換言すれば、相対する一体のリング部２２Ｘ３、２４Ｘ３の先端部同士の離間距離が３番目に広くなる。
【００８０】
４番目のリング部２２Ｘ４、２４Ｘ４の先端部同士の間に形成された小間隙部２８Ｘ４が４番目に広く、換言すれば、相対する一体のリング部２２Ｘ４、２４Ｘ４の先端部同士の離間距離が４番目に広くなる。
【００８１】
そして、最終的には、５番目のリング部２２Ｘ５、２４Ｘ５の先端部同士が接触して小間隙部２８が消滅する。この場合には、整列方向（図１２中矢印Ｘ方向）に沿って隣接した小間隙部２８が次第に小さく、あるいは狭くなる。５番目のリング部２２Ｘ５、２４Ｘ５の先端部同士が接触ではなく、非接触状態で僅かな隙間が形成されている構成でもよい。
【００８２】
なお、整列方向に沿って並べられたリング部２２、２４の個数は５個に限定されるものではなく、６個以上又は４個以下に設定されてもよい。
【００８３】
また、相対する一対のリング部２２、２４の先端部には、それぞれ誘導部３２が形成されている。なお、誘導部３２の構成については、上述したバリエーション及びその他の形状を含み、特に限定されるものではない。
【００８４】
この構成によれば、最も外側（端部）にあるリング部２２Ｘ１、２４Ｘ１の先端部同士の間に形成された小間隙部２８Ｘ１が最も広いため、被保持部材１８を小間隙部２８Ｘ１に挿入し易くなる。そして、整列方向に進むに従い小間隙部２８Ｘ２、２８Ｘ３、２８Ｘ４、…、が次第に小さくなり、換言すればリング部２２、２４の先端部同士の離間距離が次第に狭くなるため、狭い方の小間隙部２８に円滑に誘導することができる。そして、一度、被保持部材１８がリング部２２、２４に係合されると、離脱するには最も狭い小間隙部２８Ｘ４を通過しなければならないため、狭い小間隙部２８Ｘ４が抵抗又は障害の一つとなって、リング部２２、２４からの被保持部材１８の離脱を抑制できる。
【００８５】
なお、図１２に示す５番目のリング部２２Ｘ５、２４Ｘ５の先端部同士のように、いずれかのリング部２２、２４の先端部同士が接触している構成では、そこには小間隙部が形成されていないため、被保持部材１８の離脱を阻止できる。
【００８６】
第１実施形態によれば、リング部２２、２４の閉状態において、相対する一対のリング部２２、２４の先端部２２Ａ、２４Ａ同士の間に小間隙部２８が形成されているため、リング部２２、２４を開状態にしなくても、被保持部材１８を小間隙部２８に挿入させる。被保持部材１８の平面上をリング部２２、２４の先端部２２Ａ、２４Ａと対向させて、被保持部材１８をリング部２２、２４の整列方向に滑らせる。そして、被保持部材１８の穴２０にリング部２２、２４の先端部２２Ａ、２４Ａを対向配置させた後、挿入させて係合する。
【００８７】
これにより、ファイリング機構１６の開閉動作をしなくても、被保持部材１８をリング部２２、２４で保持することができる。この結果、ファイリング機構１６の開閉動作の衝撃によって、取り出すことを想定していない被保持部材１８がリング部２２、２４から離脱することを防止できる。
【００８８】
他方、リング部２２、２４に係合している被保持部材１８をリング部２２、２４から取り出す場合には、リング部２２、２４の閉状態において小間隙部２８が形成されているため、被保持部材１８をリング部２２、２４の誘導部３２上で滑らせて小間隙部２８側に誘導させる。これにより、ファイリング機構１６の開閉動作をしなくても、被保持部材１８を小間隙部２８に通過させて、容易に取り出すことができる。
【００８９】
特に、被保持部材１８に複数の穴２０が形成されている構成では、全ての穴２０からリング部２２、２４を離脱させることで、被保持部材１８を確実に取り出すことができる。
【００９０】
ここで、被保持部材１８の移動方向は、リング部２２、２４の整列方向だけではなく、整列方向に対して直交する方向、換言すれば、図５（ｂ）に示す平面視の平面方向に移動させる場合でも同様の作用効果を実現できる。
【００９１】
なお、上記実施形態では、ファイリング構造１６を備えたバインダ１０を例示して説明したが、バインダ１０に限定されるものではなく、手帳（システム手帳を含む）、その他の文房具類に広く適用されるとともに、本発明は、これらの用途にかかわらず、本発明の特徴を利用したもの全てを含むものである。
【符号の説明】
【００９２】
１０      バインダ
１６      ファイリング機構
１８      被保持部材
２０      穴
２２      リング部
２２Ｘ１  リング部
２２Ｘ２  リング部
２２Ｘ３  リング部
２２Ｘ４  リング部
２２Ｘ５  リング部
２２Ａ    先端部
２４      リング部
２４Ｘ１  リング部
２４Ｘ２  リング部
２４Ｘ３  リング部
２４Ｘ４  リング部
２４Ｘ５  リング部
２４Ａ    先端部
２６      開閉部
２８      小間隙部（間隙部）
２８Ｘ１  小間隙部（間隙部）
２８Ｘ２  小間隙部（間隙部）
２８Ｘ３  小間隙部（間隙部）
２８Ｘ４  小間隙部（間隙部）
３０      大間隙部（間隙部）
３２      誘導部
３４      傾斜部
３６      円錐部
３８      湾曲部
【図１】
0006678356.tif 000002
【図２】
0006678356.tif 000003
【図３】
0006678356.tif 000004
【図４】
0006678356.tif 000005
【図５】
0006678356.tif 000006
【図６】
0006678356.tif 000007
【図７】
0006678356.tif 000008
【図８】
0006678356.tif 000009
【図９】
0006678356.tif 000010
【図１０】
0006678356.tif 000011
【図１１】
0006678356.tif 000012
【図１２】
0006678356.tif 000013